(57)【特許請求の範囲】
【請求項１】
柱と梁材とからなる建物ユニットを複数並べて構築されているユニット式建物において、複数の前記建物ユニットの柱が集合する柱集合部に設けられた通気遮断部材を備えているユニット式建物の通気遮断構造であり、
前記通気遮断部材は、弾性体があらかじめ成形加工されることで形成され、前記柱集合部において隣り合う柱同士の間の隙間に圧縮された状態で挿し入れられるものであり、
前記通気遮断部材には、前記隙間に挿し入れられた状態で上下方向に電気配線を挿通可能な配線通し部が設けられており、
前記配線通し部は、前記通気遮断部材を上下方向に貫通するように形成された線状の切り込みであることを特徴とするユニット式建物の通気遮断構造。
【請求項２】
前記配線通し部は、複数の前記切り込みが互いに交差するように設けられて構成されていることを特徴とする請求項１に記載のユニット式建物の通気遮断構造。
【請求項３】
前記通気遮断部材は、４つの柱が集合した前記柱集合部において隣り合う柱同士の間の各隙間に挿し入れられる４つの被挿入部と、該４つの被挿入部を連結する連結部と、を含んで十字状に一体成形されており、
前記連結部に前記配線通し部が形成されていることを特徴とする請求項１又は２に記載のユニット式建物の通気遮断構造。
【請求項４】
前記通気遮断部材は、４つの柱が集合した前記柱集合部において前記梁材が連結された各柱の仕口部に囲まれた隙間部分に設けられていることを特徴とする請求項３に記載のユニット式建物の通気遮断構造。
【請求項５】
柱と梁材とからなる建物ユニットを複数並べて構築されているユニット式建物において、複数の前記建物ユニットの柱が集合する柱集合部に設けられた通気遮断部材を備えているユニット式建物の通気遮断構造であり、
前記通気遮断部材は、弾性体があらかじめ成形加工されることで形成され、前記柱集合部において隣り合う柱同士の間の隙間に圧縮された状態で挿し入れられるものであり、さらに、４つの柱が集合した前記柱集合部において隣り合う柱同士の間の各隙間に挿し入れられる４つの被挿入部と、該４つの被挿入部を連結する連結部と、を含んで十字状に一体成形されており、
前記通気遮断部材には、前記隙間に挿し入れられた状態で上下方向に電気配線を挿通可能な配線通し部が前記連結部に設けられていることを特徴とするユニット式建物の通気遮断構造。
【請求項６】
前記通気遮断部材は、４つの柱が集合した前記柱集合部において前記梁材が連結された各柱の仕口部に囲まれた隙間部分に設けられていることを特徴とする請求項５に記載のユニット式建物の通気遮断構造。
【発明の詳細な説明】
【技術分野】
【０００１】
本発明は、ユニット式建物の通気遮断構造に関するものである。
【背景技術】
【０００２】
住宅等の建物としては、建物ユニットを複数並べて構築されているユニット式建物がある。ユニット式建物において隣り合う建物ユニットの柱間に隙間がある場合、建物の気密性が低下することになる。そこで、建物ユニットの柱間の隙間に例えば断熱材を設け、その断熱材により隙間を塞ぐことが考えられる（例えば特許文献１）。
【０００３】
また、建物ユニットの柱間の隙間を例えばグラスウールにより塞ぐ場合、一般的な手法として、建築現場にて複数の建物ユニットを設置した後に柱間の隙間にグラスウールを押し込む手法がある。この手法によれば、作業者は適当な量のグラスウールを隙間に押し込み、結果として隙間の形状に合わせて変形したグラスウールにより隙間を埋めることになる。
【先行技術文献】
【特許文献】
【０００４】
【特許文献１】特開２０００−１４４９１６号公報
【発明の概要】
【発明が解決しようとする課題】
【０００５】
しかしながら、柱間の隙間にグラスウールを押し込んだ場合、結果としてグラスウールが隙間の形状に合わせて変形するため、その隙間においてグラスウールの配置が不均一になることが懸念される。さらに、柱間の隙間は電気配線の配設スペースとして利用することが可能であるが、グラスウールを押し込む構成では、隙間におけるグラスウールの配置を均一化しつつその隙間に電気配線を配設することは困難であると考えられる。
【０００６】
本発明は、柱が集合する部分において柱間の隙間に通気遮断部材及び電気配線の両者をそれぞれ好適に配置することを目的とする。
【課題を解決するための手段】
【０００７】
上記課題を解決するために、第１の発明の建物ユニットの通気遮断構造は、柱と梁材とからなる建物ユニットを複数並べて構築されているユニット式建物において、複数の前記建物ユニットの柱が集合する柱集合部に設けられた通気遮断部材を備えているユニット式建物の通気遮断構造であり、前記通気遮断部材は、弾性体があらかじめ成形加工されることで形成され、前記柱集合部において隣り合う柱同士の間の隙間に圧縮された状態で挿し入れられるものであり、前記通気遮断部材には、前記隙間に挿し入れられた状態で、上下方向に電気配線を挿通可能な配線通し部が設けられていることを特徴とする。
【０００８】
第１の発明によれば、通気遮断部材はあらかじめ成形加工されているため、通気遮断部材を柱間の隙間に挿し入れることを容易化しつつ、隙間内で通気遮断部材の配置が不均一になることを抑制できる。また、通気遮断部材には配線通し部が設けられているため、通気遮断部材が挿し入れられた隙間において電気配線を配設することができる。しかも、通気遮断部材は圧縮された状態で隙間に挿し入れられているため、その隙間内において電気配線が挿通された配線通し部の内側には電気配線による隙間ができにくく、配線通し部において通気遮断性が低下することを抑制できる。
【０００９】
以上の結果、柱が集中する部分において柱間の隙間に通気遮断部材及び電気配線の両者をそれぞれ好適に配置することができる。
【００１０】
なお、柱集合部においては、成形加工が施されていない通気遮断部材を柱間の隙間に押し込むと、その結果として通気遮断部材が隙間の形状に合わせて変形し、隙間における通気遮断部材の配置が不均一になると考えられる。このため、成形加工が施されていない通気遮断部材が柱間の隙間に押し込まれた場合は、その隙間において通気遮断部材による通気遮断性が低下することが懸念される。これに対して、第１の発明では通気遮断部材をあらかじめ成形加工しておくことにより、通気遮断性が低下することを抑制できる。
【００１１】
第２の発明では、前記配線通し部は、前記通気遮断部材を上下方向に貫通するように形成された線状の切り込みである。
【００１２】
第２の発明によれば、配線通し部が線状の切り込みにより形成されているため、配線通し部の形成容易性を高めることができるとともに、単に切り込みの長さを変えることで挿通可能な電気配線の太さや本数の許容範囲を変えることができる。また、単に線状の切り込みが形成されているだけであるため、通気遮断部材が非圧縮状態にある場合でも配線通し部は閉じた状態となっている。これにより、配線通し部における通気遮断性の低下の抑制効果を高めることができる。
【００１３】
第３の発明では、前記配線通し部は、複数の前記切り込みが互いに交差するように設けられて構成されている。
【００１４】
第３の発明によれば、互いに交差した複数の切り込みにより配線通し部の形状が変化しやすくされているため、配線通し部の内周面が電気配線により一層密着しやすくなる。例えば、線状の切り込みが１つだけ設けられている構成に比べて、配線通し部に電気配線が挿通された状態で配線通し部の内周面と電気配線との間に隙間が生じにくいためである。したがって、配線通し部において通気遮断性が低下することをより一層抑制できる。
【００１５】
第４の発明では、前記通気遮断部材は、４つの柱が集合した前記柱集合部において隣り合う柱同士の間の各隙間に挿し入れられる４つの被挿入部と、該４つの被挿入部を連結する連結部と、を含んで十字状に一体成形されており、前記連結部に前記配線通し部が形成されている。
【００１６】
第４の発明によれば、通気遮断部材が４つの被挿入部を含んで十字状に一体成形されているため、４つの柱により十字状の隙間部分が存在している柱集合部に対して、隙間部分に被挿入部を挿し入れるように通気遮断部材を取り付けることで取り付け作業を容易化できる。しかも、配線通し部が通気遮断部材の連結部に形成されているため、隙間内に通気遮断部材が挿し入れられた状態において、配線通し部は四方から圧縮される。これにより、十字状に成形加工された通気遮断部材について、配線通し部における通気遮断性の低下を抑制することができる。
【００１７】
第５の発明では、前記通気遮断部材は、４つの柱が集合した前記柱集合部において前記梁材が連結された各柱の仕口部に囲まれた隙間部分に設けられている。
【００１８】
４つの柱が集合する柱集合部では、その仕口部に通気遮断部材を取り付けようとしても、その周囲には四方に延びる梁材（床梁材又は天井梁材）が存在しており、通気遮断部材の取り付け作業が極めて困難なものになる。
【００１９】
この点、第５の発明によれば、十字状に成形された通気遮断部材が柱集合部の隙間部分であって柱仕口部となる部位に設けられるため、柱集合部の隙間部分に通気遮断部材を借り装着した状態で、通気遮断部材をその形状を維持したまま上下に移動させることができる。したがって、柱集合部の隙間部分であって柱仕口部となる部位に通気遮断部材を好適に配置できる。
【００２０】
第６の発明では、前記柱集合部において前記柱と該柱に連結された前記梁材とによる入隅部分に設けられ、該入隅部分を通じての前記柱同士の間の隙間と前記梁材同士の間の隙間との通気を遮断する入隅部材を備え、前記入隅部材は、前記柱集合部において前記柱に前記梁材が連結された部分に、前記通気遮断部材と当接した状態で設けられている。
【００２１】
第６の発明によれば、柱集合部において、柱間の隙間と梁材間の隙間との間での直接通気を通気遮断部材により遮断できるとともに、それら隙間の間での入隅部分を通じた間接通気を入隅部材により遮断できる。したがって、柱間の隙間と梁間の隙間との間で生じる空気の流れをより確実に断つことができる。
【００２２】
特に、第５の発明のように通気遮断部材が柱仕口部となる部位に設けられている構成では、柱仕口部以外（通気遮断部材が設けられていない部位）では柱間の隙間が存在しているが、入隅部分に入隅部材が設けられていることにより、入隅部分を通じて梁間の隙間から柱間の隙間への空気の流入及び流出を抑制できる。
【００２３】
なお、前記梁材の連結された前記柱を複数有する前記柱集合部においては、複数の前記梁材に対してそれぞれ設けられた入隅部材が一体成形されている構成が好ましい。この構成によれば、複数の入隅部分のそれぞれに対して入隅部材を取り付けることを容易化できる。
【００２４】
第７の発明では、前記配線通し部には、該配線通し部の内部空間を複数に仕切る仕切部が設けられている。
【００２５】
第７の発明によれば、配線通し部に複数の電気配線が挿通されている場合、それら電気配線を仕切部により互いに離間させることができる。なお、電気配線に電力線と信号線とが含まれている場合、仕切板はゴム等の絶縁体により形成されていることが好ましい。この場合、電力線と信号線との間で電磁ノイズの影響が及ぶことを回避できる。
【図面の簡単な説明】
【００２６】
【図１】本実施形態における建物の構成を示す断面図。
【図２】建物ユニットの構成を示す斜視図。
【図３】建物ユニットの配置を示す平面図。
【図４】十字気流止め及び枠状気流止めの構成を示す斜視図。
【図５】四本柱集合部における床仕口周辺の構成を示す平面図。
【図６】一文字気流止め及びコ字状気流止めの構成を示す斜視図。
【図７】二本柱集合部における床仕口周辺の構成を示す平面図。
【発明を実施するための形態】
【００２７】
以下、本発明を具体化した一実施形態を図面に基づいて説明する。本実施形態では、住宅等の建物が二階建てユニット式建物として鉄骨ユニット工法により構築されており、建物の一階部分及び二階部分はそれぞれ複数の建物ユニットが並べられることで構成されている。ここでは、建物ユニット２０について図２を参照しつつ説明する。図２は建物ユニット２０の構成を示す斜視図である。
【００２８】
図２に示すように、建物ユニット２０は、四隅に配置された柱２１と、隣り合う柱２１の上端部を連結する天井大梁２２と、隣り合う柱２１の下端部を連結する床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００２９】
柱２１は、柱本体２１ａと、柱本体２１ａの上端に連結された天井仕口２１ｂと、柱本体２１ａの下端に連結された床仕口２１ｃとを有しており、天井仕口２１ｂにおいて隣り合う二方の仕口面に天井大梁２２がそれぞれ連結され、床仕口２１ｃにおいて隣り合う二方の仕口面に床大梁２３がそれぞれ連結されている。柱本体２１ａと各仕口２１ｂ，２１ｃとは、同じ断面構造を有する角形鋼が溶接により連結されている。
【００３０】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。
【００３１】
次に、複数の建物ユニット２０により構築された建物１０について図１、図３を参照しつつ説明する。図１は建物１０の構成を示す断面図、図３は建物ユニット２０の配置を示す平面図である。
【００３２】
図１に示すように、一階部分１５及び二階部分１６には居住空間としての居室３１がそれぞれ設けられている。一階部分１５において居室３１は床部３４により床下空間３５と仕切られている。床部３４は、床大梁２３の上側に配置され且つ床面を形成するパーティクルボード等の床面材３６と、床面材３６を下方から支持する床根太３７とを有している。床根太３７は床大梁２３上に載置されており、床面材３６の下側には床断熱材が設けられている。
【００３３】
二階部分１６において居室３１は天井部４１により屋根裏空間４２と仕切られている。天井部４１は、天井大梁２２の下側に配置され且つ天井面を形成する石膏ボード等の天井面材４３と、その天井面材４３と天井大梁２２との間に配置された野縁４４とを有している。天井面材４３及び野縁４４はビスや釘等により天井大梁２２に対して固定されており、天井面材４３の上側には天井断熱材が設けられている。
【００３４】
一階部分１５及び二階部分１６において、各居室３１は仕切壁４５により仕切られている。仕切壁４５は、柱２１の居室３１側に配置された壁面材４６を有しており、壁面材４６は柱２１や天井大梁２２、床大梁２３に対して固定されている。壁面材４６の居室３１側の下端には巾木４７が設けられている。
【００３５】
本実施形態において、複数の建物ユニット２０の柱２１が集合している柱集合部４８，４９には、電気配線Ｄ１，Ｄ２が配設されており、これら電気配線Ｄ１，Ｄ２は柱２１の間の隙間に沿って上下方向に延びている。これにより、柱２１の間の隙間部分が電気配線の配設スペースとして利用されている。
【００３６】
柱集合部４８，４９において柱２１間の隙間は、一階部分１５の床部３４周辺において床下空間３５に通じているとともに、二階部分１６の天井部４１周辺において屋根裏空間４２に通じている。これに対して、柱集合部４８，４９には、それら柱２１の間の隙間を通じた床下空間３５と屋根裏空間４２との間での空気の流れを止める気流止め５１〜５４が設けられている。気流止め５１〜５４は、一階部分１５において柱仕口部としての床仕口２１ｃに対して設けられているとともに、二階部分１６において柱仕口部としての天井仕口２１ｂに対して設けられている。気流止め５１〜５４は、隣り合う建物ユニット２０同士の境界線であるドッキングラインＤＬをそれぞれ跨いだ状態となっている。
【００３７】
図３において、柱集合部４８，４９のうち、４つの柱２１が集合した四本柱集合部４８には、気流止め５１〜５４のうち十字状の十字気流止め５１と矩形枠状の枠状気流止め５２とが設けられている。一方、２つの柱２１が集合した二本柱集合部４９には、一文字状の一文字気流止め５３とコ字状のコ字状気流止め５４が設けられている。気流止め５１〜５４は、例えば独立気泡のスポンジなど通気遮断性を有する弾性体が成形加工されることで各形状にそれぞれ形成されている。また、気流止め５１〜５４はそれぞれ復元性を有しており、縮小された場合や拡張された場合、変形された場合に元の形状及び大きさに戻るようになっている。
【００３８】
なお、十字気流止め５１及び一文字気流止め５３が通気遮断部材に相当する。また、四本柱集合部４８においては柱２１間の隙間部分が２つのドッキングラインＤＬに沿って延びるように十字状となっており、その形状に合わせて十字気流止め５１が配置されている。二本柱集合部４９においては柱２１間の隙間部分が１つのドッキングラインＤＬに沿って延びるように一文字状となっており、その形状に合わせて一文字気流止め５３が配置されている。
【００３９】
ここでは、一階部分１５の床仕口２１ｃに対して設けられた気流止め５１〜５４について図１、図４〜図７を参照しつつ説明する。図４（ａ）は十字気流止め５１の構成を示す斜視図、図４（ｂ）は枠状気流止め５２の構成を示す斜視図、図５は四本柱集合部４８における床仕口２１ｃ周辺の構成を示す平面図、図６（ａ）は一文字気流止め５３の構成を示す斜視図、図６（ｂ）はコ字状気流止め５４の構成を示す斜視図、図７は二本柱集合部４９における床仕口２１ｃ周辺の構成を示す平面図である。なお、図１は四本柱集合部４８における断面図であり、気流止め５１〜５４のうち十字気流止め５１及び枠状気流止め５２を図示している。
【００４０】
まず、十字気流止め５１及び枠状気流止め５２について説明する。
【００４１】
図４（ａ）に示すように、十字気流止め５１は４つの被挿入部６１と、それら被挿入部６１を連結する連結部６２とを有している。４つの被挿入部６１と連結部６２とが一体成形されており、各被挿入部６１は連結部６２から四方に向けてそれぞれ延びている。被挿入部６１及び連結部６２はそれぞれ略直方体形状とされており、連結部６２が四方に有する４つの面に被挿入部６１がそれぞれ連結されたような形状となっている。
【００４２】
十字気流止め５１には電気配線Ｄ１，Ｄ２を挿通させるための配線通し部５１ａが設けられている。配線通し部５１ａは連結部６２の略中央において、複数の直線状の切り込みが互いに交差するように配置されることで形成されている。本実施形態では、２つの直線状の切り込みにより十字状に形成されており、各切り込みはそれぞれ被挿入部６１の延びる方向と同じ方向に延びている。配線通し部５１ａを形成する切り込みは、連結部６２を上下に貫通しており、連結部６２の側面には達していない。なお、配線通し部５１ａは１つの切り込みにより形成されていてもよく、切り込みは被挿入部６１の延びる方向と異なる方向に延びていてもよい。また、切り込みは曲線状とされていてもよい。
【００４３】
図４（ｂ）に示すように、枠状気流止め５２は、柱２１とその柱２１に連結された床大梁２３とによる入隅部分に設けられる入隅片６３を４つ有しており、それら入隅片６３がそれぞれ一辺を形成するように一体成形されることで略矩形枠状とされている。入隅片６３は、それぞれ略直方体状に形成されており、隣り合う入隅片６３の端部同士が互いに連結されている。４つの入隅片６３のうち１つには、枠状気流止め５２の枠内空間を開放するためのスリット６５が設けられており、枠状気流止め５２においてはスリット６５を挟んで向かい合う端面を互いに離間させることが可能となっている。なお、入隅片６３が入隅部材に相当する。
【００４４】
図５に示すように、四本柱集合部４８において、十字気流止め５１は、隣り合う柱２１の床仕口２１ｃ同士の間の各隙間に各被挿入部６１がそれぞれ挿し入れられることにより、４つの柱２１に取り付けられている。この場合、十字気流止め５１は、隣り合う床大梁２３間の隙間の柱側端部を柱２１間の隙間から塞いだ状態となっている。十字気流止め５１は、４つの床仕口２１ｃの間に存在する十字状の隙間部分と同じ形状であってその隙間部分よりも少しだけ大きくされている。このため、十字気流止め５１は水平方向に圧縮された圧縮状態で四本柱集合部４８に取り付けられていることになり、復元力によって床仕口２１ｃの外周面に対する密着性が高められている。なお、十字気流止め５１の連結部６２は、４つの床仕口２１ｃの隙間部分の中央に配置されている。
【００４５】
枠状気流止め５２は、柱２１とその柱２１に連結された床大梁２３とにより形成された入隅部分において、入隅片６３が柱２１及び床大梁２３の両者にそれぞれ当接した状態で四本柱集合部４８に取り付けられている。ここで、床部３４において床面材３６及び床根太３７は柱２１から水平方向に離間させて配置されており、入隅片６３はその離間部分に配置されている。この場合、入隅片６３の側面は柱２１の外周面に加えて十字気流止め５１の被挿入部６１の端面に当接している。なお、入隅片６３と被挿入部６１とが当接する部分は、４つの柱２１の外周より外側及び内側のいずれとされていてもよい。
【００４６】
枠状気流止め５２においては、４組の柱２１と床大梁２３とにより形成される４つの入隅部分のそれぞれに入隅片６３が配置されており、枠状気流止め５２が４つの柱２１をまとめて囲んだ状態となっている。枠状気流止め５２の内周形状は、４つの柱２１及び十字気流止め５１の外周に沿って延びる形状とされ、その外周よりも少しだけ小さくされている。このため、枠状気流止め５２は四本柱集合部４８に取り付けられた状態で水平方向に拡張されており、復元力によって４つの柱２１の外周面及び十字気流止め５１の被挿入部６１の端面に対する入隅片６３の密着性が高められている。
【００４７】
図１に示すように、十字気流止め５１において被挿入部６１及び連結部６２の高さ寸法は、床仕口２１ｃの高さ寸法と同じ又はそれより大きくされており、床仕口２１ｃの外周面に加えて柱本体２１ａの下部の外周面に密着している。枠状気流止め５２は、十字気流止め５１と同様に床仕口２１ｃの外周面に加えて柱本体２１ａの外周面と密着している。枠状気流止め５２は十字気流止め５１に対して上方にずれているが、枠状気流止め５２の下部と十字気流止め５１の上部とは高さレベルが重複しており、枠状気流止め５２の下部内周面は、床仕口２１ｃの間の隙間において十字気流止め５１の被挿入部６１の上部端面と密着している。
【００４８】
この場合、柱２１間の隙間と床大梁２３間の隙間とは、床仕口２１ｃを通じて直接的に連通されているとともに、入隅部分を通じて間接的に連通されている。これに対して、柱２１には十字気流止め５１及び枠状気流止め５２が設けられているため、柱２１間の隙間と床大梁２３間の隙間との間での直接通気は十字気流止め５１の被挿入部６１により遮断され、入隅空間を通じての間接通気は枠状気流止め５２の入隅片６３により遮断される。さらに、被挿入部６１と入隅片６３とは密着しているため、それら被挿入部６１と入隅片６３との間を通じて通気が行われることもない。
【００４９】
図５の説明に戻り、四本柱集合部４８においては、十字気流止め５１の配線通し部５１ａに電気配線Ｄ１，Ｄ２が上下に挿通されているとともに、それら電気配線Ｄ１，Ｄ２とを電気的に絶縁する絶縁部としての絶縁板６７が設けられている。絶縁板６７は、ゴム等の絶縁材料により形成されており、配線通し部５１ａにおいて一方に延びる切り込みに沿って配線通し部５１ａ内の空間を２つに分割している。そして、一方の空間に電力用電気配線Ｄ１が配設され、他方の空間に信号用電気配線Ｄ２が配設されている。
【００５０】
十字気流止め５１及び枠状気流止め５２の取り付け手順について簡単に説明する。
【００５１】
作業者は、一階部分１５において基礎１１上に複数の建物ユニット２０を横並びに設置した後、四本柱集合部４８において、作業者は、床仕口２１ｃと天井仕口２１ｂとの中間位置に十字気流止め５１を仮装着する。具体的には、十字気流止め５１を圧縮変形させながら柱本体２１ａの間の各隙間に被挿入部６１をそれぞれ挿し入れ、その場所で十字気流止め５１を十字状に整える。そして、十字気流止め５１の配線通し部５１ａに電気配線Ｄ１，Ｄ２を挿通させる。その後、仮装着した十字気流止め５１を十字状にて保持したまま下方にスライド移動させ、基礎１１上に載置する。これにより、床仕口２１ｃに対して十字気流止め５１を取り付ける作業を容易化できる。
【００５２】
また、枠状気流止め５２を拡張変形させながら中間位置において４本の柱本体２１ａにまとめて巻きつけるようにして仮装着し、枠状気流止め５２を矩形枠状にて保持したまま下方にスライド移動させ、床大梁２３上に載置する。これにより、床仕口２１ｃに対して枠状気流止め５２を取り付ける作業を容易化できる。
【００５３】
次に、一文字気流止め５３及びコ字状気流止め５４について説明する。図６（ａ）に示すように、一文字気流止め５３には、電気配線Ｄ１，Ｄ２を挿通させるための配線通し部５３ａが設けられている。配線通し部５３ａは、一文字気流止め５３に沿って延びる１つの直線状の切り込みにより形成されている。切り込みは一文字気流止め５３を上下に貫通しており、一文字気流止め５３の側面には達していない。なお、一文字気流止め５３自体が十字気流止め５１における１つの被挿入部６１に相当する。
【００５４】
図６（ｂ）に示すように、コ字状気流止め５４は１つの入隅片６３を有しており、その入隅片６３がコ字状気流止め５４の中央部分を形成している。コ字状気流止め５４は枠状気流止め５２を２分割した形状とされており、矩形状の枠内空間を有している。
【００５５】
図７に示すように、二本柱集合部４９においては柱２１の屋外側に外壁パネル７１が設けられており、外壁パネル７１は２つの柱２１の並び方向に沿って延びている。一文字気流止め５３は、十字気流止め５１と同様に、圧縮状態で柱２１の床仕口２１ｃ同士の間の隙間に挿し入れられており、復元力によって床仕口２１ｃの外周面に対する密着性が高められている。
【００５６】
コ字状気流止め５４は、２つの柱２１を屋内側から囲むように床大梁２３上に載置された状態で二本柱集合部４９に取り付けられている。コ字状気流止め５４は、枠状気流止め５２と同様に、二本柱集合部４９に取り付けられた状態で拡張されており、復元力によって２つの柱２１の外周面に対する密着性が高められている。
【００５７】
一文字気流止め５３及びコ字状気流止め５４は、十字気流止め５１及び枠状気流止め５２と同様に、互いに上下方向にずれて配置されているが、それぞれの高さレベルが重複している。したがって、コ字状気流止め５４の下端内周面は、床仕口２１ｃの間の隙間において一文字気流止め５３の端面と密着している。また、二本柱集合部４９においては、四本柱集合部４８と同様に、柱２１間の隙間と床大梁２３間の隙間との間での直接通気が一文字気流止め５３により遮断されるとともに、それら隙間の間での入隅空間を通じた間接通気がコ字状気流止め５４の入隅片６３により遮断される。
【００５８】
一文字気流止め５３の配線通し部５３ａには、十字気流止め５１の配線通し部５１ａと同様に絶縁板６７が設けられている。絶縁板６７は配線通し部５３ａの切り込みに沿って配線通し部５３ａ内の空間を２つに分割している。そして、一方の空間に電力用電気配線Ｄ１が配設され、他方の空間に信号用電気配線Ｄ２が配設されている。
【００５９】
また、一文字気流止め５３及びコ字状気流止め５４、十字気流止め５１及び枠状気流止め５２の取り付け手順と同様に、床仕口２１ｃよりも上方にて柱本体２１ａに対して取り付け、そのまま下方にスライド移動させることで床仕口２１ｃに対して取り付ける。
【００６０】
気流止め５１〜５４は、一階部分１５の床仕口２１ｃと同様に二階部分１６の天井仕口２１ｂに対して設けられている。例えば四本柱集合部４８において、十字気流止め５１は天井仕口２１ｂに対して取り付けられており、枠状気流止め５２は上下方向において天井大梁２２と天井面材４３との間に配置され且つ水平方向において柱２１と野縁４４との間に配置されている（図１参照）。この場合、作業者は、十字気流止め５１及び枠状気流止め５２を天井仕口２１ｂよりも下方にて柱本体２１ａに仮装着し、そのまま上方にスライド移動させることで天井仕口２１ｂに対して取り付ける。
【００６１】
また、二本柱集合部４９において一文字気流止め５３及びコ字状気流止め５４は、十字気流止め５１及び枠状気流止め５２と同様に天井仕口２１ｂに対して取り付けられている。
【００６２】
以上詳述した本実施形態によれば、以下の優れた効果が得られる。
【００６３】
四本柱集合部４８又は二本柱集合部４９において、複数の柱２１の間の隙間部分の形状及び大きさに合わせて十字気流止め５１や一文字気流止め５３があらかじめ成形加工されている。このため、その隙間部分に十字気流止め５１や一文字気流止め５３を挿し入れることの容易化を図りつつ、隙間部分内で十字気流止め５１や一文字気流止め５３の配置が不均一になることを抑制できる。さらに、十字気流止め５１や一文字気流止め５３は圧縮状態で取り付けられている。この場合、配線通し部５１ａ，５３ａに電気配線Ｄ１，Ｄ２が挿通された状態において、配線通し部５１ａ，５３ａの内周面が電気配線Ｄ１，Ｄ２の外周面に密着しやすくなるため、配線通し部５１ａ，５３ａにおいて通気遮断性が低下することを抑制できる。
【００６４】
以上の結果、複数の柱２１が集中する部分において、柱２１間の隙間に十字気流止め５１や一文字気流止め５３を好適に配置することができ、さらに電気配線Ｄ１，Ｄ２を好適に配設することができる。
【００６５】
十字気流止め５１及び一文字気流止め５３において配線通し部５１ａ，５３ａが線状の切り込みにより形成されているため、配線通し部５１ａ，５３ａの形成容易性を高めることができるとともに、単に切り込みの長さを変えることで挿通可能な電気配線Ｄ１，Ｄ２の太さや本数の許容範囲を変えることができる。しかも、線状の切り込みは、十字気流止め５１及び一文字気流止め５３が圧縮されていない場合でも閉じた状態となっているため、その切り込みによって気流止め５１，５３の通気遮断性が低下することをより確実に抑制できる。
【００６６】
十字気流止め５１において配線通し部５１ａは複数の切り込みが交差した形状とされているため、配線通し部５１ａの内周面が電気配線Ｄ１，Ｄ２により一層密着しやすくなる。また、配線通し部５１ａは連結部６２に設けられているため、十字気流止め５１が柱２１間の隙間部分に挿し入れられた状態では、配線通し部５１ａが四方から圧縮されて縮小される。この場合、配線通し部５１ａが例えば被挿入部６１に形成されている構成に比べて、配線通し部５１ａは四方から均等に圧縮されるため、縮小効率を高めることができる。
【００６７】
柱集合部４８，４９において、柱２１同士の間の隙間と床大梁２３同士の間の隙間との間での床仕口２１ｃを通じた直接的な通気が十字気流止め５１の被挿入部６１により遮断されている。また、それら隙間の間での入隅部分を通じた間接的な通気が枠状気流止め５２の入隅片６３により遮断されている。しかも、被挿入部６１と入隅片６３とは当接することで連続して設置されている。この場合、柱２１間の隙間と床大梁２３間の隙間との間での直接通気及び間接通気の両方が遮断されるため、それら隙間の間で生じる空気の流れをより確実に断つことができる。この効果は、天井部４１についても同様に得ることができる。
【００６８】
枠状気流止め５２は、複数の入隅片６３が一体成形されることで形成されているため、複数の入隅部分を有する四本柱集合部４８に対して枠状気流止め５２を取り付けることにより複数の入隅片６３を各入隅部分にまとめて取り付けることができる。つまり、複数の入隅部分のそれぞれに対して入隅片６３の取り付け作業を容易化できる。
【００６９】
一階部分１５の床部３４及び二階部分１６の天井部４１に対してそれぞれ気流止め５１〜５４が設けられているため、仕切壁４５などにおいて柱２１間の隙間を通じて床下空間３５と屋根裏空間４２との間での空気の流れを断つことができる。したがって、床下空間３５や屋根裏空間から柱２１間の隙間に冷気や湿気が流れ込むことを回避できる。つまり、柱２１が冷やされて仕切壁４５内に結露が発生することや、仕切壁４５内に湿気が流れ込むことを回避できる。
【００７０】
四本柱集合部４８では、隣り合う柱２１の間の隙間に通気遮断部材を取り付ける際、床仕口２１ｃ同士の間の隙間や天井仕口２１ｂ同士の間の隙間に通気遮断部材を取り付けようとしても、その周囲には四方に延びる床大梁２３や天井大梁２２が存在しており、通気遮断部材を床仕口２１ｃや天井仕口２１ｂに対して取り付ける作業が極めて困難になる。これは、居室３１にいる作業者が、床仕口２１ｃに対しての取り付け作業を床大梁２３よりも上方から行わなくてはならなくなり、天井仕口２１ｂに対しての取り付け作業を天井大梁２２よりも下方から行わなくてもならないためである。
【００７１】
この点、四本柱集合部４８における柱２１の隙間部分の形状に合わせて十字気流止め５１が十字状に形成されているため、柱２１における床仕口２１ｃと天井仕口２１ｂとの中間位置に十字気流止め５１を仮装着した状態で、十字気流止め５１をその形状を維持したまま上方又は下方に移動させることができる。したがって、四本柱集合部４８の柱２１同士の隙間部分であって床仕口２１ｃとなる部位に十字気流止め５１を好適に配置できる。
【００７２】
一階部分１５の建物ユニット２０の床仕口２１ｃに対して十字気流止め５１が取り付けられているため、一階部分１５の居室３１と床下空間３５との間で床仕口２１ｃ同士の間の隙間を通じた通気を遮断することができる。また、二階部分１６の建物ユニット２０の天井仕口２１ｂに対して十字気流止め５１が取り付けられているため、二階部分１６の居室３１と屋根裏空間４２との間で天井仕口２１ｂ同士の間の隙間を通じて通気を遮断することができる。したがって、建物１０の屋内空間のうち居室３１を対象として気密性を高めることができる。
【００７３】
四本柱集合部４８において、十字気流止め５１と枠状気流止め５２とが上下方向において重複して配置されているため、柱２１間の隙間部分と４つの柱２１の輪郭周辺とを連続して塞ぐことができる。これにより、隙間部分だけでなく四本柱集合部４８の周辺についても通気遮断性能を高めることができる。
【００７４】
（他の実施形態）
本発明は上記実施形態の記載内容に限定されず、例えば次のように実施してもよい。
【００７５】
・柱集合部４８，４９においては複数の柱２１が集合していればよい。例えば、屋内側に向けて凹んだ入隅に３つの柱２１が集合して柱集合部が構成され、その柱集合部において隣り合う柱２１間の各隙間に一文字気流止め５３がそれぞれ挿し入れられている構成とする。この場合、複数の柱２１が集合した部分に設けられる通気遮断部材が、柱集合部における柱２１同士の間の隙間部分に合わせて形状及び大きさが設定されていることが好ましい。
【００７６】
・十字気流止め５１等の通気遮断部材は、四本柱集合部４８等の柱集合部において、下階部分の建物ユニット２０の天井仕口２１ｂに対して設けられていてもよく、上階部分の建物ユニット２０の床仕口２１ｃに対して設けられていてもよい。また、通気遮断部材は、柱集合部において柱本体２１ａに対して設けられていてもよい。
【００７７】
・十字気流止め５１等の通気遮断部材の高さ寸法は、床仕口２１ｃ等の柱仕口部の高さ寸法より小さくてもよく、柱２１の高さ寸法とほぼ同じとされていてもよい。要は、通気遮断部材は通気遮断を必要とする部分に設けられる高さ寸法を有していればよい。
【００７８】
・十字気流止め５１等の通気遮断部材において配線通し部５１ａ，５３ａは、通気遮断部材を貫通する貫通孔や開口、切欠きにより形成されていてもよい。例えば、十字気流止め５１が非圧縮状態にある場合に配線通し部５１ａが円形や矩形の開口を有していても、十字気流止め５１が柱２１間の隙間にて圧縮状態とされた場合に配線通し部５１ａが縮小又は閉鎖される構成であればよい。
【００７９】
・四本柱集合部４８において、十字気流止め５１と枠状気流止め５２とは上下方向に重複しない位置にそれぞれ設けられていてもよい。同様に、二本柱集合部４９において、一文字気流止め５３とコ字状気流止め５４とは上下方向に重複しない位置にそれぞれ設けられていてもよい。
【００８０】
・十字気流止め５１等の通気遮断部材は、柱集合部４８，４９を形成する複数の建物ユニット２０のうち１つの建物ユニット２０の柱２１に対して、その建物ユニット２０が建築現場に設置されるより前にあらかじめ取り付けられていてもよい。例えば、工場において通気遮断部材が建物ユニット２０の柱２１に接着固定されている構成としてもよい。この構成によれば、建築現場において複数の建物ユニット２０が設置された後に、柱集合部４８，４９に対して通気遮断部材を取り付ける手間を省くことができる。
［本明細書から抽出可能な他の発明について］
以下に、本明細書の開示範囲内において課題を解決するための手段欄に記載した発明以外の抽出可能な発明について、必要に応じて効果等を示しつつ説明する。
【００８１】
（１）柱と梁材とからなる建物ユニットを複数並べて構築されるユニット式建物に適用され、４つの前記建物ユニットの柱が集合する柱集合部に設けられた通気遮断部材を備えているユニット式建物の通気遮断構造であり、
前記通気遮断部材は、弾性体があらかじめ成形加工されることで形成され、前記柱集合部において隣り合う柱同士の間の各隙間に圧縮された状態で挿し入れられる４つの被挿入部を有した十字状のものであり、前記柱集合部において前記梁材が連結された各柱の仕口部に囲まれた隙間部分に設けられていることを特徴とするユニット式建物の通気遮断構造。
【００８２】
ユニット式建物において４つの柱が集合する柱集合部では、その仕口部に通気遮断部材を取り付けようとしても、その周囲には四方に延びる梁材（床梁材又は天井梁材）が存在しており、通気遮断部材の取り付け作業が極めて困難になる。
【００８３】
この点、上記（１）の構成によれば、柱集合部の隙間部分であって柱仕口部となる部位に設けられる通気遮断部材が十字状に成形されているため、柱集合部の隙間部分に通気遮断部材を仮装着した状態で、通気遮断部材をその形状を維持したまま上下に移動させることができる。したがって、４つの柱が集合した部分の隙間部分であって柱仕口部となる部位に通気遮断部材を好適に配置できる。
【００８４】
（２）前記ユニット式建物は複数階建ての建物とされており、
前記通気遮断部材は、最下階における前記柱集合部の床仕口部と最上階における前記柱集合部の天井仕口部とにそれぞれ設けられていることを特徴とする上記（１）に記載のユニット式建物の通気遮断構造。
【００８５】
上記（２）の構成によれば、階ごとに居住空間を有するユニット式建物において、最下階の床下空間と最上階の天井裏空間との間で行われる柱集合部の柱間の隙間を通じた通気を遮断することができる。このため、床下空間や天井裏空間から柱間の隙間に冷気や湿気が流れ込むことを回避できる。つまり、柱が冷やされて柱周辺に結露が発生することや、柱周辺が湿気の高い状態となることを回避できる。
【００８６】
（３）前記柱集合部において前記柱と該柱に連結された前記梁材とによる入隅部分に設けられ、該入隅部分を通じての前記柱同士の間の隙間と前記梁材同士の間の隙間との通気を遮断する入隅部材を備え、
前記入隅部材は、前記柱集合部において前記柱に前記梁材が連結された部分に、前記通気遮断部材と当接した状態で設けられていることを特徴とする上記（１）又は（２）に記載のユニット式建物の通気遮断構造。
【００８７】
上記（３）の構成によれば、柱集合部において、柱間の隙間と梁材間の隙間との間での直接通気を通気遮断部材により遮断できるとともに、それら隙間の間での入隅部分を通じた間接通気を入隅部材により遮断できる。したがって、柱間の隙間と梁間の隙間との間で生じる空気の流れをより確実に断つことができる。
【００８８】
特に、上記（２）のように通気遮断部材が柱仕口部となる部位に設けられている構成では、柱仕口部以外（通気遮断部材が設けられていない部位）では柱間の隙間が存在しているが、入隅部分に入隅部材が設けられていることにより、入隅部分を通じて梁間の隙間から柱間の隙間への空気の流入及び流出を抑制できる。
【符号の説明】
【００８９】
１０…ユニット式建物としての建物、２０…建物ユニット、２１…柱、２１ｂ…仕口部としての天井仕口、２１ｃ…仕口としての床仕口、２２…梁材としての天井大梁、２３…梁材としての床大梁、４８…柱集合部としての四本柱集合部、４９…柱集合部としての二本柱集合部、５１…通気遮断部材としての十字気流止め、５１ａ…配線通し部、５３…通気遮断部材としての一文字気流止め、５３ａ…配線通し部、６１…被挿入部、６２…連結部、６３…入隅部材としての入隅片、６７…絶縁部としての絶縁板。
【図１】
0005693937.tif 000002
【図２】
0005693937.tif 000003
【図３】
0005693937.tif 000004
【図４】
0005693937.tif 000005
【図５】
0005693937.tif 000006
【図６】
0005693937.tif 000007
【図７】
0005693937.tif 000008